(57)【要約】【課題】  金物を一切用いることなく木造軸組の耐震性能を確保する。【解決手段】  柱頭部に組物２６を設けるとともに該組物と頭貫２と通し肘木２７に囲まれる範囲に琵琶板２９を取り付けてなる木造軸組において、琵琶板の上縁部と通し肘木の双方、および琵琶板の下縁部と頭貫の双方に、それぞれ互いに係合して琵琶板の水平変位を規制する係合部３２を設けてなる。【選択図】      図９
2005090224.tif 000002
【特許請求の範囲】
【請求項１】
柱頭部に組物を設けるとともに該組物と頭貫と通し肘木に囲まれる範囲に琵琶板を取り付けてなる木造軸組において、
琵琶板の上縁部と通し肘木の双方、および琵琶板の下縁部と頭貫の双方に、それぞれ互いに係合して琵琶板の水平変位を規制する係合部を設けてなることを特徴とする木造軸組。
【発明の詳細な説明】
【技術分野】
【０００１】
本発明は、金物を用いることなく優れた耐震性能を確保し得る木造軸組に関する。
【背景技術】
【０００２】
周知のように、寺社建築に代表される我国の伝統的な木造建築は、柱に貫、長押、地覆その他の部材を組み合わせた木造軸組によるものである。そして、各部材どうしの連結は木組によることを基本としつつ耐震性を確保する必要上、一部に金物を併用することが通常である。
【発明の開示】
【発明が解決しようとする課題】
【０００３】
しかし、長年月の間には腐食が不可避である金物を木造軸組において用いることは、木造建築が本来的に備えている優れた耐久性（法隆寺は千年を優に越えている）を損なうことになり、そのため、金物を一切用いることなく木組のみで優れた耐震性を確保することのできる現代的な木造軸組の開発が望まれている。
【課題を解決するための手段】
【０００４】
本発明は、柱頭部に組物を設けるとともに該組物と頭貫と通し肘木に囲まれる範囲に琵琶板を取り付けてなる木造軸組において、琵琶板の上縁部と通し肘木の双方、および琵琶板の下縁部と頭貫の双方に、それぞれ互いに係合して琵琶板の水平変位を規制する係合部を設けてなるものである。
【発明の効果】
【０００５】
本発明の木造軸組は、柱頭部に組物および琵琶板を取り付けるとともに、琵琶板と通し肘木および頭貫の双方に琵琶板の水平変位を規制する係合部を設けたから、琵琶板が軸組の変形を拘束して耐震性能を向上させることができる。
【発明を実施するための最良の形態】
【０００６】
本発明の実施形態に先立ち、まず本発明に関連する参考例としての木造軸組について説明する。図１はその参考例としての木造軸組を示し、図１におけるII部、III部、IV部の詳細をそれぞれ図２、図３、図４に示している。本参考例の木造軸組は、柱１、頭貫２、長押３、地覆４から構成されている。柱１の柱頭部には図２に示す構造の木組により頭貫２が連結されている。すなわち、柱頭部には十字状の溝５が彫り込まれて形成されており、その溝５に、二方向の頭貫２が相欠き状態に交差して落とし込まれて嵌入されている。そして、それらの頭貫２および溝５の双方には、頭貫２の落とし込みにより互いに摺接して柱頭部を径方向内側に締め付けるためのすべり勾配面を有する係合部６が形成されている。従来一般の柱と頭貫との木組（仕口）には殆ど耐力が期待できなかったが、上記のように係合部６どうしの係合による締め付け力により、この木組は金物を一切用いずとも従来の木組に比較して耐力が増強され、耐震性能を大きく向上させることができるものとなっている。
【０００７】
また、頭貫２の直下に設けられている長押３は、図３に示す構造の木組で柱頭部に対して取り付けられている。すなわち、柱頭部には上記の溝５の下部に柱の全周にわたる溝７が形成されてその底部は八角形をなすものとされ、柱１を挟み込む長押３の双方には半円形の切欠部が形成されているとともにその切欠部には上記の溝７に係合する係合部８が形成されていて、その係合部８を溝７に嵌め込むことにより双方の長押３が柱頭部に対して相対回転不能な状態で柱１を挟み込むようになっている。そして、双方の長押３は引独鈷９および車知栓１０による車知留めとされることで互いに引き寄せられて強固に連結され、これにより柱頭部は上記の頭貫２による締め付けに加えて長押３によっても締め付けられ、より一層の耐力増強が実現している。
【０００８】
さらに、上記の柱１は図４に示す構造で礎石１１上に建て込まれている。すなわち、礎石１１の上面には半球状の凸部（丸ダボ）１２が形成されているとともに、柱１の底面にはその凸部１２に嵌合する半球面状の凹部１３が設けられ、それら凸部１２と凹部１３とを嵌合させた状態で柱１が建て込まれている。そして、柱脚部には通常の木組により地覆４が連結されているが、柱１は礎石１１に対しては直接的に連結されてはおらず、したがってこの軸組が水平力を受けた際には（ｃ）に示すように柱１は凸部１２に乗り上げるようにしてわずかに傾斜しかつ浮き上がることが許容される状態となっている。このような構造で柱１を建て込むことにより、地震時における柱脚部の損壊が防止されて木造軸組全体で柱１の傾斜に対する復元力が十分に発揮され、耐震性能を大きく向上させることができるものとなっている。
【０００９】
図５〜図１０は本発明の一実施形態を示すものである。本実施形態は、図１に示した参考例の木造軸組から長押３を省略するとともに、板壁１４を組み込み、かつ斗組１５を設けたものであり、図５におけるVI部、VII部、VIII部、IX部、X部の詳細を、それぞれ図６、図７、図８、図９、図１０に示している。II部、IV部の構成は参考例と同様である。
【００１０】
本実施形態の木造軸組では、柱１間の上部および下部にそれぞれ内法貫１６および足固貫１７が渡されているとともに、それらの間に複数（図示例では３本）の貫１８が渡され、かつ、頭貫２、内法貫１６、各貫１８、足固貫１７、地覆４の間を複数（図示例では６枚）の力板１９により塞いで板壁１４を構成している。内法貫１６および足固貫１７と柱１との木組はたとえば図６および図７に示すような通常の構造のものであるが、各貫１８および各力板１９は図８に示す構造で柱１に対して取り付けられている。すなわち、貫１８の端部は柱１に対して下げ鎌により留められ、力板１９の端部は柱１に形成されている縦溝２０内に上下方向に変位可能に差し込まれている。そして、各貫１８と各力板１９とはそれらの長さ方向に相対変位可能に連設されており、それらの間には木製のダボ２１が所定間隔（たとえば３００ｍｍ程度）で介装せしめられている。このような構造の板壁１４を備えた木造軸組では、地震時に水平力を受けた際に各力板１９が柱１に対して上下方向にずれようとし、かつ力板１９と貫１８とが水平方向にずれようとするが、そのようなずれはダボ２１により拘束されるので優れた水平耐力を発揮し、しかもダボ２１の微小変形や柱１、貫１８、力板１９間の摩擦力による振動減衰効果も期待できる。つまり、上記の板壁１４はあたかも近代建築におけるダンパー組込形の耐震壁のように挙動するものとなり、このような板壁１４の採用により木造軸組の耐震性能を大きく向上させることができる。
【００１１】
また、本実施形態における斗組１５は、図９および図１０に示すように互いにダボ２２により連結された大斗２３、肘木２４、巻斗２５よりなる組物２６を柱頭に設け、組物２６どうしを通し肘木２７により連結し、通し肘木２７と頭貫の間に間斗束２８を立て、組物２６と頭貫２と通し肘木２７に囲まれる範囲に小壁としての琵琶板２９を取り付けた構成とされている。琵琶板２９は通常のようにその上縁部が通し肘木２７の下面に形成された溝３０に嵌め込まれ、琵琶板２９の下縁部は頭貫２の上面に形成された溝３１に嵌め込まれているが、本実施形態では琵琶板２９の上縁部および下縁部とそれらが嵌め込まれる溝３０，３１の双方に琵琶板２９の水平方向の変位を規制するための段差状の係合部３２を設けている。このような構造により、地震時の水平力によって軸組が変形しようとした際には琵琶板２９がそれを拘束し、これによりそのような機能を琵琶板には期待していない従来一般の軸組に比較して耐震性能を向上させることができる。
【００１２】
以上で本発明の実施形態を説明したが、本発明の木造軸組は上記実施形態に限定されるものでは勿論なく、図９および図１０に示した琵琶板２９の取り付け構造を基本として、それに上記の実施形態および参考例における各構成要素、すなわち、図２に示した柱１と頭貫２の木組、図３に示した長押３の木組、図４に示した柱１の建て込み構造、図８に示した板壁１４のいずれかを単独であるいは任意に組み合わせて備えた木造軸組とすれば良く、いずれにしても金物を一切用いることなく従来一般の木造軸組に比較して優れた耐震性能を確保することができる。
【００１３】
なお、本発明は、社寺等の木造建物を新築する場合に適用するのみならず、歴史的価値のある既存木造建物を保存するに当たってその補修や耐震補強を行う場合に適用することも好適である。その場合も外観上は伝統的な木造建物における軸組と何等変わるものではないから全く違和感がない。
【図面の簡単な説明】
【００１４】
【図１】本発明に関連する参考例としての木造軸組を示す立面図である。
【図２】図１におけるII部の詳細図である。
【図３】図１におけるIII部の詳細図である。
【図４】図１におけるIV部の詳細図である。
【図５】本発明の一実施形態の木造軸組を示す立面図である。
【図６】図５におけるVI部の詳細図である。
【図７】図５におけるVII部の詳細図である。
【図８】図５におけるVIII部の詳細図である。
【図９】図５におけるIX部の詳細図である。
【図１０】図５におけるX部の詳細図である。
【符号の説明】
【００１５】
１  柱
２  頭貫
１５  斗組
２６  組物
２７  通し肘木
２９  琵琶板
３２  係合部
【図１】
2005090224.tif 000003
【図２】
2005090224.tif 000004
【図３】
2005090224.tif 000005
【図４】
2005090224.tif 000006
【図５】
2005090224.tif 000007
【図６】
2005090224.tif 000008
【図７】
2005090224.tif 000009
【図８】
2005090224.tif 000010
【図９】
2005090224.tif 000011
【図１０】
2005090224.tif 000012